(57)【要約】 【課題】  複数のストロボ発光手段を個々に制御して、被写体における配光の調整を容易に行える照明装置を実現すること。【解決手段】  制御部１０は、ユーザの撮影開始の指示入力を検知すると、タイミングコントローラ３０に計時を開始させる。そして、その計時時間が、露光開始時間に達したら、カメラＣＡＭに露光を開始させる。一方、タイミングコントローラ５０は、計時を開始する共に、設定レジスタ３０に記憶されている発光開始時間テーブル３００から発光開始時間ｔｍ１〜ｔｍ４を読み出し、計時時間が、発光開始時間ｔｍ１〜ｔｍ４それぞれに到達したか否かを判定する。そして、到達したと判定する度に、その発光開始時間に対応するストロボの発光を開始させるよう、第１〜第４ストロボ制御部７１〜７４の何れかを制御する。【選択図】図３
2006195069.tif 000002
【特許請求の範囲】
【請求項１】
閃光を発光して被写体を直接的及び／又は間接的に照射する複数のストロボ発光手段と、
前記複数のストロボ発光手段それぞれを制御し、当該ストロボ発光手段が発光する閃光の前記被写体における単位時間内の照射量を個々に変えることで、当該被写体での配光を調整する配光調整手段と、
を備えることを特徴とする照明装置。
【請求項２】
前記配光調整手段は、
前記複数のストロボ発光手段それぞれの発光タイミングを制御する発光タイミング制御手段を有することを特徴とする請求項１に記載の照明装置。
【請求項３】
前記複数のストロボ発光手段それぞれは、発光体及び当該発光体に供給する電荷を蓄積する電荷蓄積手段を有し、
前記配光調整手段は、
前記電荷蓄積手段の何れかに対する電荷蓄積時間を個々に制御する蓄電時間制御手段を有することを特徴とする請求項１又は２に記載の照明装置。
【請求項４】
前記複数のストロボ発光手段それぞれを遮光する遮光手段を更に備え、
前記配光調整手段は、
前記複数のストロボ発光手段それぞれに対する前記遮光手段の遮光タイミングを個々に制御する遮光タイミング制御手段を有することを特徴とする請求項１〜３の何れか一項に記載の照明装置。
【請求項５】
前記配光調整手段は、
前記複数のストロボ発光手段それぞれの発光時間を制御する発光時間制御手段を有することを特徴とする請求項１〜４の何れか一項に記載の照明装置。
【請求項６】
露光時間を調整可能な撮影手段を更に備え、
前記配光調整手段は、
前記複数のストロボ発光手段が発光する閃光の前記被写体における個々の照射量を前記撮影手段の露光時間内で変えることを特徴とする請求項１〜５の何れか一項に記載の照明装置。
【請求項７】
複数のストロボ発光手段を用いて閃光を被写体に直接的及び／又は間接的に照射する照明制御方法であって、
前記複数のストロボ発光手段それぞれを制御し、当該ストロボ発光手段が発光する閃光の前記被写体における単位時間内の照射量を個々に変えることで、当該被写体での配光を調整する配光調整ステップを含むことを特徴とする照明制御方法。
【発明の詳細な説明】
【技術分野】
【０００１】
本発明は、被写体に対して閃光を発光する複数のストロボ発光手段を用いて被写体を直接的及び／又は間接的に照射する照明装置等に関する。
【背景技術】
【０００２】
従来から、証明写真ボックスや写真スタジオにおける写真撮影には、ストロボや閃光電球等が複数用いられて、被写体における光量のバランスの調整（以下、「配光の調整」という。）が行われている。
【０００３】
例えば、証明写真ボックスの撮影では人物の顔画像を忠実に再現するように、また、写真スタジオの撮影では様々な撮影シーンに合わせた配光・光量が得られるように、異なる照明角度で各ストロボを設置する手法が知られている（特許文献１参照）。
【特許文献１】特開平１１−１６０７８５号公報
【発明の開示】
【発明が解決しようとする課題】
【０００４】
しかし、特許文献１の手法において配光を制御するには、個々のストロボの角度を手作業で調整しなければならなく煩雑である。また、被写体に対するストロボの配置や距離を物理的に変える方法もあるが、この方法も煩雑である。また、ストロボ毎の角度、配置及び距離の制御を自動制御する場合、物理的な調整を行うための機械的なシステムを組まなければならなく、そのコストは膨大であった。
【０００５】
本発明は、上述したような課題に鑑みて為されたものであり、その目的とすることころは、複数のストロボ発光手段を個々に制御して、被写体における配光の調整を容易に行える照明装置を実現することである。
【課題を解決するための手段】
【０００６】
以上の課題を解決するために、請求項１に記載の照明装置は、
閃光を発光して被写体を直接的及び／又は間接的に照射する複数のストロボ発光手段と、
前記複数のストロボ発光手段それぞれを制御し、当該ストロボ発光手段が発光する閃光の前記被写体における単位時間内の照射量を個々に変えることで、当該被写体での配光を調整する配光調整手段と、
を備えることを特徴としている。
【０００７】
請求項２に記載の発明は、請求項１に記載の照明装置であって、
前記配光調整手段は、
前記複数のストロボ発光手段それぞれの発光タイミングを制御する発光タイミング制御手段を有することを特徴としている。
【０００８】
請求項３に記載の発明は、請求項１又は２に記載の照明装置であって、
前記複数のストロボ発光手段それぞれは、発光体及び当該発光体に供給する電荷を蓄積する電荷蓄積手段を有し、
前記配光調整手段は、
前記電荷蓄積手段の何れかに対する電荷蓄積時間を個々に制御する蓄電時間制御手段を有することを特徴としている。
【０００９】
請求項４に記載の発明は、請求項１〜３の何れか一項に記載の照明装置であって、
前記複数のストロボ発光手段それぞれを遮光する遮光手段を更に備え、
前記配光調整手段は、
前記複数のストロボ発光手段それぞれに対する前記遮光手段の遮光タイミングを個々に制御する遮光タイミング制御手段を有することを特徴としている。
【００１０】
請求項５に記載の発明は、請求項１〜４の何れか一項に記載の照明装置であって、
前記配光調整手段は、
前記複数のストロボ発光手段それぞれの発光時間を制御する発光時間制御手段を有することを特徴としている。
【００１１】
請求項６に記載の発明は、請求項１〜５の何れか一項に記載の照明装置であって、
露光時間を調整可能な撮影手段を更に備え、
前記配光調整手段は、
前記複数のストロボ発光手段が発光する閃光の前記被写体における個々の照射量を前記撮影手段の露光時間内で変えることを特徴としている。
【００１２】
請求項７に記載の発明は、
複数のストロボ発光手段を用いて閃光を被写体に直接的及び／又は間接的に照射する照明制御方法であって、
前記複数のストロボ発光手段それぞれを制御し、当該ストロボ発光手段が発光する閃光の前記被写体における単位時間内の照射量を個々に変えることで、当該被写体での配光を調整する配光調整ステップを含むことを特徴としている。
【発明の効果】
【００１３】
請求項１又は７に記載の発明によれば、被写体に対して閃光を直接的及び／又は間接的に発光する複数のストロボ発光手段それぞれを制御して、当該被写体における単位時間内の照射量を個々に変える。このため、被写体へ対する各ストロボ発光手段の角度、配置及び距離を調整することなく、被写体における配光を容易に調整することができる。また、配光の調整のために機械的なシステムを組む必要もない。
【００１４】
請求項２に記載の発明によれば、請求項１に記載の発明と同様の効果が得られるのは無論のこと、発光タイミング制御手段が、複数のストロボ発光手段それぞれの発光タイミングを個々に制御する。このため、それぞれの発光タイミングに応じたズレを持つ各ストロボ発光手段の閃光が合成されて被写体に照射される。従って、ストロボ発光手段毎の発光タイミングを適切に制御することで、被写体における配光の調整が可能になる。
【００１５】
請求項３に記載の発明によれば、請求項１又は２に記載の発明と同様の効果が得られるのは無論のこと、蓄電時間制御手段は、ストロボ発光手段が有する電荷蓄積手段に対する電荷蓄積時間を個々に制御する。電荷蓄積時間が異なれば、発光体が発光する閃光の光量も異なる。従って、ストロボ発光手段毎の電荷蓄積時間を適切に制御することで、被写体における配光の調整が可能になる。
【００１６】
請求項４に記載の発明によれば、請求項１〜３の何れか一項に記載の発明と同様の効果が得られるのは無論のこと、遮光タイミング制御手段が、複数のストロボ発光手段それぞれに対する遮光のタイミングを個々に制御する。これにより、ストロボ発光手段が発光する閃光は、遮光手段毎の遮光タイミングに応じて遮断される。従って、適切に遮光タイミングを制御することで、被写体における配光の調整が可能になる。
【００１７】
請求項５に記載の発明によれば、請求項１〜４の何れか一項に記載の発明と同様の効果が得られるのは無論のこと、発光時間制御手段は、複数のストロボ発光手段それぞれの発光時間を個々に制御する。このため、各ストロボ発光手段が発光した閃光の被写体における照射量は発光時間に応じて変化する。従って、発光時間を適切に制御することで、被写体における配光の調整が可能になる。
【００１８】
請求項６に記載の発明によれば、請求項１〜５の何れか一項に記載の発明と同様の効果が得られるのは無論のこと、撮影手段の露光時間に基づいて、複数のストロボ発光手段を個々に制御する。このため、撮影手段が露光時間内に露光する露光量の調整を容易に行うことができる。
【発明を実施するための最良の形態】
【００１９】
以下、本発明の照明装置を証明写真ボックスに適用した場合の実施形態について図１〜図９を参照して詳細に説明する。
【００２０】
図１は、証明写真ボックス１００の概観の一例を表す図、図２は、証明写真ボックス１００を上方から見た際の第１〜第４ストロボＳＴ１〜ＳＴ４の配置例を表す図であり、図３は、証明写真ボックス１００の主要構成の一例を示すブロック図である。
【００２１】
図１のように、証明写真ボックス１００は、ボックス型に形成されており、その外壁には撮影された証明写真を取り出す取出口１５０が設置されている。ボックス内部には、被写体Ｍ用の椅子Ｃが昇降可能に設置されており、また、被写体Ｍの正面に操作手順やその他撮影に関するガイド映像等を表示する表示装置１１０、撮影開始の指示（例えば、撮影ボタンの押下操作）を受け付ける入力装置１２０、被写体Ｍが撮影室内に入室したことを検知するための検知センサ１３０、撮影料金を精算するためのキャッシャー１４０等が設置されている。
【００２２】
また、撮影室の内壁には、被写体Ｍの上方、正面及び背面のそれぞれにストロボ発光手段である第１〜第４ストロボＳＴ１〜ＳＴ４が複数設置されている。同図によれば、第１ストロボＳＴ１は被写体Ｍの前方に、第２ストロボＳＴ２及び第３ストロボＳＴ３は上方に、第４ストロボＳＴ４は背面に設置されている。また、図２によれば、第２ストロボＳＴ２は、被写体Ｍの右前方に、第３ストロボＳＴ３は被写体Ｍの左前方に配置されている。
【００２３】
即ち、第１ストロボＳＴ１は被写体Ｍの正面から、第２ストロボＳＴ２は被写体Ｍの右上方から、第３ストロボＳＴ３は被写体Ｍの左上方から、第４ストロボＳＴ４は被写体Ｍの背面から、閃光を発光して被写体Ｍを直接的に照射する。また、各ストロボから発光された閃光は、証明写真ボックス１００内の壁面に反射して間接的にも被写体Ｍを照射する。尚、各ストロボが発光する閃光の明るさの時間的変移の特性は同一である。
【００２４】
また、第１〜第４ストロボＳＴ１〜ＳＴ４のそれぞれは、第１〜第４ストロボ制御部７１〜７４の制御に基づいて発光を行う。ここで、図４を用いて第１〜第４ストロボＳＴ１〜ＳＴ４の発光動作を説明する。
【００２５】
図４において、第１〜第４ストロボ制御部７１〜７４は、電源Ｅと、電力供給スイッチＳＷ１とを備えて構成され、第１〜第４ストロボＳＴ１〜ＳＴ４は、電荷蓄積手段であるコンデンサＣと、キセノンガス放電管等の発光体Ｌと、電荷供給スイッチＳＷ２とを備えて構成される。
【００２６】
第１〜第４ストロボ制御部７１は、電力供給スイッチＳＷ１のＯＮ／ＯＦＦを電力供給切替信号ＣＳ１によって制御し、また、電荷供給スイッチＳＷ２のＯＮ／ＯＦＦを電荷供給切替信号ＣＳ２によって制御する。
【００２７】
より具体的には、先ず、第１〜第４ストロボ制御部７１〜７４は、電荷供給スイッチＳＷ２をＯＦＦにした状態で、電力供給スイッチＳＷ１をＯＮにして、コンデンサＣに電荷の蓄積を一定期間行わせる。そして、コンデンサＣへ所定量の電荷を蓄積したら、電力供給スイッチＳＷ１をＯＦＦに切り替え、次いで、電荷供給スイッチＳＷ２をＯＮに切り替える。これにより、コンデンサＣに蓄積された電荷が、発光体Ｌに放出されて、各ストロボは閃光を発光する。尚、ストロボ発光手段の発光方法は、例えば、発光体にフィラメントを用いる等して、公知技術を適宜採用してもよい。
【００２８】
カメラＣＡＭは、システム制御部１の指示に基づいて、被写体Ｍを撮影する撮影手段であり、その撮影した被写体Ｍの画像データをシステム制御部１へ出力する。
【００２９】
システム制御部１は、ユーザの撮影開始の指示入力を入力装置１２０の押下によって検知した場合、その検知から所定時間（以下、この時間を「露光待機時間」という。）待機した後にカメラＣＡＭのシャッターを開いて（露光して）、被写体Ｍの撮影を行う。そして、カメラＣＡＭが撮影した被写体Ｍの画像データをプリンタ等の画像形成装置（図示略）へ出力して、カメラＣＡＭが撮影した画像を証明写真として取出口１５０へ排出させる。
【００３０】
システム制御部１は、図３に示すように、制御部１０と、設定レジスタ３０と、タイミングコントローラ５０とを備えて構成される。
【００３１】
制御部１０は、システム制御部１におけるデータ処理やデータ通信等の統括的な管理・制御を行い、例えば、ＣＰＵ（Central Processing Unit）、ＲＯＭ（Read Only Memory）、ＲＡＭ（Random Access Memory）及びＩ／Ｆ部等を有して構成される。
【００３２】
設定レジスタ３０は、システム制御部１の動作に係る設定情報を記憶する記憶領域であり、例えば、ＥＥＰＲＯＭ等の不揮発性メモリによって構成される。同図によれば、設定レジスタ３０は、発光開始時間テーブル３００を記憶している。
【００３３】
発光開始時間テーブル３００は、第１〜第４ストロボＳＴ１〜ＳＴ４毎に発光開始時間ｔｍ１〜ｔｍ４を対応付けて記憶するデータテーブルである。発光開始時間ｔｍ１〜ｔｍ４は、ユーザの撮影開始の指示入力から各ストロボを発光させるまでの経過時間であり、ユーザにより初期設定される。
【００３４】
制御部１０は、ユーザにより設定された発光開始時間ｔｍ１〜ｔｍ４を各ストロボに対応付けて発光開始時間テーブル３００として記憶する。そして、ユーザにより撮影開始の指示入力が為された際には、タイミングコントローラ５０に経過時間の計時を開始させる。
【００３５】
タイミングコントローラ５０は、計時している経過時間が、各ストロボの発光開始時間ｔｍ１〜ｔｍ４の何れかに到達したとき、その到達した発光開始時間に対応するストロボを発光させる。即ち、タイミングコントローラ５０は、発光開始時間ｔｍ１〜ｔｍ４に応じて各ストロボの発光のタイミング（以下、「発光タイミング」という。）を制御する発光タイミング制御手段を実現する。
【００３６】
図５は、カメラＣＡＭが予め定められた露光時間（単位時間）の間に（シャッター速度で）露光する光量の特性の一例を表すグラフである。同図の縦軸は、カメラＣＡＭが露光する光量であり、横軸は、露光を開始した時間（露光開始点）を基準としたストロボの発光タイミングである。
【００３７】
同図によれば、ストロボの発光タイミングが適正であるときに、カメラＣＡＭが露光する光量がガイドナンバＧＮに略到達する。これに対し、発光タイミングが早いとき、及び遅いときは、光量がガイドナンバに達しない。これは、露光時間外に照射されたストロボの光がシャッターによって遮られ、その結果、露光時間中の光量が下がってしまったからである。
【００３８】
本実施形態では、第１〜第４ストロボＳＴ１〜ＳＴ４が発光を開始する発光開始時間ｔｍ１〜ｔｍ４を適宜設定して、ストロボ毎の発光タイミングを図５のように早くしたり、遅くしたりすることで、露光時間内の被写体Ｍにおける各ストロボの照射量を変える。このため、被写体Ｍにおける配光を調整して、カメラＣＡＭが露光する光量を意図的に制御することができる。これにより、配光調整手段及び配光調整ステップを実現する。尚、ここでいう「配光」は、第１〜第４ストロボＳＴ１〜ＳＴ４が被写体Ｍを照射している閃光のバランスである。
【００３９】
尚、第１〜第４ストロボＳＴ１〜ＳＴ４の発光開始時間ｔｍ１〜ｔｍ４は、証明写真ボックス１００の初期設定時に適宜設定されるデータあってもよいし、撮影の都度ユーザが変更可能なデータであってもよい。
【００４０】
タイミングコントローラ５０は、第１〜第４ストロボＳＴ１〜ＳＴ４の個々の発光タイミングを制御する機能部であり、例えば、水晶発振器等によるカウンタを備えて構成される。
【００４１】
より具体的には、タイミングコントローラ５０は、先ず、設定レジスタ３０に記憶されている第１〜第４ストロボそれぞれに対応する発光開始時間ｔｍ１〜ｔｍ４を読み出す。そして、ユーザの撮影開始の指示入力が制御部１０により検知されたら、タイミングコントローラ５０は、経過時間の計時を開始して、当該経過時間が各ストロボの発光開始時間ｔｍ１〜ｔｍ４に到達するまで待機する。そして、各ストロボの発光開始時間ｔｍ１〜ｔｍ４の何れかに経過時間が到達する毎に、その到達した発光開始時間に対応するストロボを発光させる指示を当該ストロボに対応するストロボ制御部へ対して行う。
【００４２】
次に、図７の各ストロボＳＴ１〜ＳＴ４の明るさ（照射量）の変化を表すグラフを参照しながら、図６のフローチャートを用いて証明写真ボックス１００の具体的な動作を説明する。
【００４３】
先ず、証明写真ボックス１００の制御部１０は、ユーザによって入力された発光開始時間ｔｍ１〜ｔｍ４を各ストロボに対応付けて発光開始時間テーブル３００に記憶する（ステップＳ１）。
【００４４】
そして、ユーザにより入力される撮影開始の指示入力を検知したら（ステップＳ３）、タイミングコントローラ５０に経過時間の計時を行わせる（ステップＳ１１）。制御部１０は、タイミングコントローラ５０が計時する経過時間が、露光待機時間Ｔ１に達したら、カメラＣＡＭに露光を開始させる。
【００４５】
一方、タイミングコントローラ５０は、制御部１０の指示に基づいて、経過時間の計時を開始して（ステップＳ１１）、当該経過時間が、発光開始時間テーブル３００に記憶されている各発光開始時間ｔｍ１〜ｔｍ４に到達したか否かを判定する。そして、経過時間が発光開始時間ｔｍ１〜ｔｍ４の何れかに到達したと判定したら、その到達した発光開始時間のストロボを発光させるよう、当該ストロボに対応するストロボ制御部７１〜７４に発光開始の指示を行う（ステップＳ１３）。
【００４６】
例えば、第１ストロボＳＴ１は、撮影開始点Ｔ０から発光開始時間ｔｍ１後に発光を開始して、その明るさ（照射量）が立ち上がる。この発光開始時間ｔｍ１を、カメラＣＡＭの露光開始時間Ｔ１に合わせて設定することにより、図７に示す露光時間Ｔ３の間の第１ストロボＳＴ１におけるカメラＣＡＭの露光量Ｌ１は、ガイドナンバＧＮに到達する。
【００４７】
また、第２ストロボＳＴ２は、撮影開始点Ｔ０から発光開始時間ｔｍ２後に発光を開始する。この発光開始時間ｔｍ２を、露光開始時間Ｔ１よりも前に設定することで、露光時間Ｔ３以前の反射光Ｒ２を露光せず、露光時間Ｔ３内の露光量Ｌ２はガイドナンバＧＮよりも低くなる。
【００４８】
また、第３ストロボＳＴ３は、撮影開始点Ｔ０から発光開始時間ｔｍ３後に発光を開始する。この発光開始時間ｔｍ３を、露光開始時間Ｔ１よりも後に設定することで、露光時間Ｔ３以降の反射光Ｒ３を露光せず、露光時間Ｔ３内の露光量Ｌ３もガイドナンバＧＮより低くなる。第４ストロボＳＴ４の発光開始時間ｔｍ４を、発光開始時間ｔｍ４よりも更に後に設定すれば、第４ストロボＳＴ４の露光量Ｌ４は、第３ストロボＳＴ３の露光量Ｌ３よりも更に低くなる。
【００４９】
このように、設定レジスタ３０の発光開始時間の設定によって各ストロボの発光タイミングを制御することで、第１〜第４ストロボＳＴ１〜ＳＴ４それぞれに対する露光量Ｌ１〜Ｌ４を個別に調整することができる。
【００５０】
以上、本実施形態によれば、タイミングコントローラ５０は、設定レジスタ３０に記憶された発光開始時間ｔｍ１〜ｔｍ４に基づいて、第１〜第４ストロボＳＴ１〜ＳＴ４の発光タイミングを個々に制御する。このため、設定レジスタ３０の設定値を変えるだけで、露光時間Ｔ３内にカメラＣＡＭに対する各ストロボの露光量を調整できる。
【００５１】
従って、発光開始時間ｔｍ１〜ｔｍ４の設定を変更するだけ、例えば、証明写真に最適な配光や、ポートレート写真に最適な配光、アミューズメント撮影時の特殊な配光等、被写体Ｍへ対する色々な配光を容易に作り出すことができるようになる。
【００５２】
また、発光開始時間ｔｍ１〜ｔｍ４の設定によって、各ストロボの露光量のピーク部分（例えば、図７のピークＰ）の重なりの調整も可能である。これにより、例えば、図７のように複数のストロボを連続的に発光するように制御して、被写体Ｍの反射光の明るさが常に最大となるように制御することもできる。
【００５３】
また、手作業で各ストロボの角度や配置、距離を変えることなく、設定レジスタ３０の設定内容を変えるといった容易な操作によって、被写体における配光を調整することができるようになる。従って、各ストロボの角度や配置、距離を機械的に制御するような膨大なコストのかかるシステムを構築する必要もない。
【００５４】
尚、上述した実施形態では、各ストロボの発光タイミングを発光開始時間ｔｍ１〜ｔｍ４の設定により制御することとしたが、例えば、露光開始時間Ｔ１を基準とした相対的なズレの時間によって発光タイミングを制御することとしてもよい。即ち、図７の第２ストロボＳＴ２における「露光開始時間Ｔ１−発光開始時間ｔｍ２」で表される時間や、第３ストロボＳＴ３における「露光開始時間Ｔ１−発光開始時間ｔｍ３」で表される時間を設定値として入力設定する。これにより、ユーザは、各ストロボの明るさのピーク部分の位置をどの程度ずらすかを、当該ズレの時間によって直感的に入力することができる。
【００５５】
また、被写体Ｍにおける配光の調整制御を、各ストロボの発光タイミングによって行うこととしたが、その制御方法は適宜変更可能であり、例えば、次ぎの第１〜第３変形例のようにしてもよい。尚、第１〜第３変形例の説明において、上述した実施形態と同一の構成要素には同一の符号を付し、その説明を省略する。
【００５６】
〔第１変形例〕
先ず、第１変形例を説明する。図８は、第１変形例における設定レジスタ３０のデータ構成の一例を示す図である。同図によれば、設定レジスタ３０は、電荷蓄積時間テーブル３１０を記憶している。電荷蓄積時間テーブル３１０は、第１〜第４ストロボＳＴ１〜ＳＴ４それぞれのコンデンサＣに電荷を蓄積する時間である電荷蓄積時間ｔｍ１１〜ｔｍ１４をストロボ毎に対応付けて記憶するデータテーブルである。
【００５７】
タイミングコントローラ５０は、ユーザの撮影開始の指示入力が為されたら、カメラＣＡＭの露光開始と同時に、第１〜第４ストロボ制御部７１〜７４を制御して、電荷蓄積時間ｔｍ１１〜ｔｍ１４の間、第１〜第４ストロボＳＴ１〜ＳＴ４それぞれに電力を供給させる。このため、予め設定された電荷蓄積時間ｔｍ１１〜１４に応じた時間の間、各ストロボのコンデンサＣは電荷を蓄積するため、各ストロボの発光量はその電荷蓄積時間に応じて異なる。従って、電荷蓄積時間を設定することで、被写体Ｍにおける配光を適切に調整制御することができる。このタイミングコントローラ５０及び電荷蓄積時間テーブル３１０により、蓄電時間制御手段を実現する。
【００５８】
〔第２変形例〕
次に、第２変形例を説明する。図９は、第２変形例における証明写真ボックス１００の主要構成の一例を示すブロック図である。
【００５９】
同図によれば、第２変形例におけるタイミングコントローラ５０は、第１〜第４ストロボＳＴ１〜ＳＴ４それぞれに電力供給するストロボ制御部７０と、第１〜第４ストロボＳＴ１〜ＳＴ４それぞれを遮光手段である第１〜第４フィルタＦ１〜Ｆ４とを制御する。
【００６０】
第２変形例におけるストロボ制御部７０は、タイミングコントローラ５０からストロボの発光指示を受けると、第１〜第４ストロボＳＴ１〜ＳＴ４を同時に発光させる。
【００６１】
また、設定レジスタ３０は、遮光開始時間テーブル３２０を記憶している。遮光開始時間テーブル３２０は、第１〜第４ストロボＳＴ１〜ＳＴ４毎に遮光開始時間を対応付けて記憶するデータテーブルである。遮光開始時間とは、第１〜第４フィルタＦ１〜Ｆ４それぞれによって第１〜第４ストロボＳＴ１〜ＳＴ４の遮光を開始する時間である。
【００６２】
第１〜第４フィルタＦ１〜Ｆ４は、カメラ撮影に際に、ストロボの光量を適宜遮光して、被写体Ｍへ対する光量を調整するために用いられる公知のフィルタであり、タイミングコントローラ５０により遮光の指示が為されると、所定の時間（例えば、０．５ｍｓ）対応するストロボの遮光を行う。
【００６３】
第２変形例において、タイミングコントローラ５０は、制御部１０がユーザの撮影開始の指示入力を検知すると、経過時間の計時を開始すると共に、設定レジスタ３０から各ストロボに対応する遮光開始時間を読み出す。そして、その経過時間が、遮光開始時間ｔｍ１１〜ｔｍ２４の何れかに到達する度に、その到達した遮光開始時間に対応するフィルタを駆動してストロボを遮光させる。また、制御部１０は、タイミングコントローラ５０が計時する経過時間が露光開始時間Ｔ１に到達する、ストロボ制御部７０を制御して、第１〜第４ストロボＳＴ１〜ＳＴ４全てを発光させる。このように、各フィルタが遮光を開始するタイミング、即ち、遮光タイミングを制御することで、遮光タイミング制御手段が実現される。
【００６４】
従って、第１〜第４ストロボＳＴ１〜ＳＴ４の光量や発光タイミングを変えることなく、被写体Ｍにおける配光を、各ストロボの外部から制御することができる。また、新たな機能・構成を設けることなく、従来からあるフィルタを利用してコストを抑えながら配光の調整制御を実現できる。
【００６５】
〔第３変形例〕
次に、第３変形例を説明する。図１０は、第３変形例における設定レジスタ３０のデータ構成の一例を示す図である。同図によれば、設定レジスタ３０は、発光時間テーブル３３０を記憶している。発光時間テーブル３３０は、第１〜第４ストロボＳＴ１〜ＳＴ４それぞれの発光を継続させる時間間隔である発光時間ｔｍ３１〜ｔｍ３４をストロボ毎に対応付けて記憶するデータテーブルである。
【００６６】
タイミングコントローラ５０は、ユーザの撮影開始の指示入力が為されたら、カメラＣＡＭの露光開始と同時に、第１〜第４ストロボ制御部７１〜７４を制御して、発光時間ｔｍ３１〜ｔｍ３４の間、第１〜第４ストロボＳＴ１〜ＳＴ４それぞれに電力を供給させる。第３変形例における第１〜第４ストロボＳＴ１〜ＳＴ４は、電力が供給されている間、閃光の発光を継続する。
【００６７】
このため、各ストロボは、予め設定された発光時間ｔｍ３１〜３４に応じた時間の間、発光を行うため、被写体Ｍにおける各ストロボの閃光の照射量は、その発光時間に応じて変わる。従って、発光時間を設定することで、被写体Ｍにおける配光を適切に調整制御することができる。このタイミングコントローラ５０及び発光時間テーブル３３０により、発光時間制御手段を実現する。
【００６８】
以上、第１〜第３変形例によれば、設定レジスタ３０の設定内容を適宜変更することで、配光の調整ができるため、上述した実施形態と同様の効果が得ることができる。
【００６９】
尚、上述したように、被写体Ｍにおける配光を調整する照明制御方法として、発光タイミングを制御する方法、電荷蓄積時間を制御する方法、フィルタの遮光開始時間を制御する方法、発光時間を制御する方法の４パターンを説明したが、これらの制御方法を適宜組み合わせてもよい。
【００７０】
即ち、第１〜第４ストロボＳＴ１〜ＳＴ４の発光開始時間ｔｍ１〜ｔｍ４によって各ストロボの発光タイミングを制御すると共に、各ストロボの電荷蓄積時間ｔｍ１１〜ｔｍ１４を個別に設定して、各ストロボが発光する光量を制御するようにしてもよいし、更に、第１〜第４フィルタＦ１〜Ｆ４によってストロボを遮光するようにしてもよく、３パターンの制御方法の組み合わせは適宜変更できる。このように、制御方法を組み合わせることで、被写体Ｍにおける配光をより細かく制御することができるようになる。
【００７１】
また、証明写真ボックス１００は、第１〜第４ストロボＳＴ１〜ＳＴ４の４つのストロボを制御することとして説明したが、このストロボの数は証明写真ボックス１００の仕様に応じて適宜変更可能であり、例えば、被写体Ｍを下方から照射する第５ストロボを更に備えて、５つのストロボを制御することとしてもよい。
【００７２】
また、本発明を証明写真ボックス１００に適用することとして説明したが、例えば、複数のストロボを用いて撮影する証明写真スタジオの撮影システム等、複数のストロボを制御して撮影する場合に適宜適用可能である。
【図面の簡単な説明】
【００７３】
【図１】本発明を適用した証明写真ボックスの概観の一例。
【図２】証明写真ボックスにおける複数のストロボの配置例を示す図。
【図３】証明写真ボックスの主要機能の構成を表すブロック図。
【図４】ストロボ制御部及びストロボの回路構成の一例を示す図。
【図５】カメラが露光時間の間に露光する光量の特性の一例を表すグラフ。
【図６】制御部及びタイミングコントローラの具体的な処理を説明するためのフローチャート。
【図７】第１〜第４ストロボの明るさの遷移の一例を表すグラフ。
【図８】第１変形例における設定レジスタのデータ構成の一例を示す図。
【図９】第２変形例における証明写真ボックスの主要機能の構成を表すブロック図。
【図１０】第３変形例における設定レジスタのデータ構成の一例を示す図。
【符号の説明】
【００７４】
１００    証明写真ボックス
ＳＴ１    第１ストロボ
ＳＴ２    第２ストロボ
ＳＴ３    第３ストロボ
ＳＴ４    第４ストロボ
７１      第１ストロボ制御部
７２      第２ストロボ制御部
７３      第３ストロボ制御部
７４      第４ストロボ制御部
ＣＡＭ    カメラ
１        システム制御部
１０    制御部
３０    設定レジスタ
３００    発光開始時間テーブル
３１０    電荷蓄積時間テーブル
３２０    遮光開始時間テーブル
３３０    発光時間テーブル
５０    タイミングコントローラ
【図１】
2006195069.tif 000003
【図２】
2006195069.tif 000004
【図３】
2006195069.tif 000005
【図４】
2006195069.tif 000006
【図５】
2006195069.tif 000007
【図６】
2006195069.tif 000008
【図７】
2006195069.tif 000009
【図８】
2006195069.tif 000010
【図９】
2006195069.tif 000011
【図１０】
2006195069.tif 000012